(57)【要約】【課題】Ｗｅｂページのコンテンツや入力された検索クエリを利用できない場合でも、ユーザの潜在的要求に合わせた広告を配信することができる装置を提供すること。【解決手段】電話番号連動広告装置１０は、ユーザ識別情報を有するユーザに関する電話番号を取得し、ユーザごとに通信履歴データ１６を記録する通信履歴部１１と、電話番号データベース３１に基づいて、通信履歴データ１６に記録された電話番号に対応付けられた広告に関する情報を取得し、取得した広告に関する情報とユーザとを対応付けたユーザ関連データ１７を記憶する関連情報記憶部１２と、ユーザ関連データ１７に基づいて、通信端末６０から入力されたユーザ識別情報に対応した広告に関する情報を取得し、広告データベース２１から、取得した広告に関する情報にマッチングした広告を抽出する広告抽出部１３と、広告抽出部１３が抽出した広告を通信端末６０に配信する配信部１４とを備える。【選択図】図３
2008292598.tif 000002
【特許請求の範囲】
【請求項１】
ネットワークに接続された通信端末に広告を配信する広告配信装置であって、
ユーザ識別情報を有するユーザが発信した発信先の電話番号、又は前記ユーザに着信した着信元の電話番号を取得し、前記ユーザごとに通信履歴データを記録する通信履歴部と、
電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶する関連情報記憶部と、
前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出する広告抽出部と、
前記広告抽出部が抽出した広告を前記通信端末に配信する配信部と、
を備えることを特徴とする広告配信装置。
【請求項２】
前記請求項１に記載の広告配信装置であって、
前記広告に関する情報は、地域情報及び業種情報を含むことを特徴とする広告配信装置。
【請求項３】
前記請求項１又は２に記載の広告配信装置であって、
前記広告抽出部は、前記広告データベースに基づいて、前記通信端末から入力された前記ユーザ識別情報に対応した前記広告に関する情報と、前記通信端末から入力されたネットワークにアクセスするための検索クエリとにマッチングした広告を抽出することを特徴とする広告配信装置。
【請求項４】
ネットワークに接続された通信端末に広告を配信する方法であって、
ユーザ識別情報を有するユーザが発信した発信先の電話番号、又は前記ユーザに着信した着信元の電話番号を取得し、前記ユーザごとに通信履歴データを記録するステップと、
電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶するステップと、
前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出するステップと、
前記抽出した広告を前記通信端末に配信するステップと、
を含む方法。
【請求項５】
通信端末とネットワークを介して接続されたコンピュータに広告を配信させるコンピュータ・プログラムであって、
ユーザ識別情報を有するユーザが発信した発信先の電話番号、又は前記ユーザに着信した着信元の電話番号を取得し、前記ユーザごとに通信履歴データを記録するステップと、
電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶するステップと、
前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出するステップと、
前記抽出した広告を前記通信端末に配信するステップと、
をコンピュータに実行させるコンピュータ・プログラム。
【発明の詳細な説明】
【技術分野】
【０００１】
本発明は、広告配信装置に関する。より詳しくは、電話利用者が使用した電話番号に連動する広告配信に関する。
【背景技術】
【０００２】
従来、ユーザの嗜好に合わせた広告を、インターネットのホームページに配信する技術として、検索連動型広告と、コンテンツ連動型広告とが知られている。検索連動型広告は、ユーザが検索エンジンへ入力した検索クエリを基に、関連する広告を引き当て、検索結果ページ中の広告枠へ配信する（特許文献１参照）。コンテンツ連動型広告は、ユーザが閲覧するＷｅｂページの内容から、ページ中に現れる単語等を手がかりにして、その頁に関連する広告の引き当てを行い、Ｗｅｂページ中の広告枠へ配信する（特許文献２参照）。
【特許文献１】特開２０００−３３９３１６号公報
【特許文献２】特開２００４−３６２４５２号公報
【発明の開示】
【発明が解決しようとする課題】
【０００３】
しかしながら、検索連動広告では、ユーザが検索時に使用した検索キーワードに関して、広告主が広告内容と合致していると判断し、登録した場合に広告が表示されるが、ユーザの要望と広告内容が合っていない場合もある。また、コンテンツ連動型広告では、Ｗｅｂページに広告を引き当てるキーワードが少ない場合には、同様に、ユーザの嗜好や潜在的要求に近い広告を配信することは困難である。
【０００４】
例えば、インターネットの入口となるポータルサイトへ広告を表示するときには、ポータルサイトがさまざまなサイトへのリンクが中心であることから、コンテンツを利用した広告表示は行えない。また、検索クエリを入力する前であるので、検索クエリの情報も使用できないため、ユーザの潜在的要求に合わせた広告を配信することが難しい。そこで、ポータルサイトへ広告を表示するときにも、ユーザの潜在的要求に合わせた広告の配信をすることができる技術が求められている。
【０００５】
本発明は、Ｗｅｂページのコンテンツや入力された検索クエリを利用できない場合でも、ユーザの潜在的要求に合わせた広告を配信することができる装置を提供することを目的とする。
【課題を解決するための手段】
【０００６】
上述した課題を解決するために、本発明は、以下のようなものを提供する。
（１）  ネットワークに接続された通信端末に広告を配信する広告配信装置であって、ユーザ識別情報を有するユーザが発信した発信先の電話番号、又は前記ユーザに着信した着信元の電話番号を取得し、前記ユーザごとに通信履歴データを記録する通信履歴部と、電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶する関連情報記憶部と、前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出する広告抽出部と、前記広告抽出部が抽出した広告を前記通信端末に配信する配信部と、を備えることを特徴とする広告配信装置。
【０００７】
（１）の構成によれば、広告配信装置において、通信履歴部は、ユーザ識別情報を有するユーザが発信した発信先の電話番号、又はユーザに着信した着信元の電話番号を取得し、ユーザごとに通信履歴データを記録する。関連情報記憶部は、電話番号とその電話番号の持ち主に関する情報とを対応付けた電話番号データベースに基づいて、通信履歴データに記録された発信先の電話番号又は着信元の電話番号に対応付けられた広告に関する情報を取得し、取得した広告に関する情報とユーザとを対応付けたユーザ関連データを記憶する。広告抽出部は、ユーザ関連データに基づいて、通信端末から入力されたユーザ識別情報に対応した広告に関する情報を取得し、Ｗｅｂページ用の広告データを記憶する広告データベースから、取得した広告に関する情報にマッチングした広告を抽出する。そして、配信部は、広告抽出部が抽出した広告を通信端末に配信する。
【０００８】
このことにより、本発明による広告配信装置は、ユーザが発信した発信先の電話番号、又はユーザに着信した着信元の電話番号に対応付けられた広告に関する情報にマッチングした広告を抽出し、通信端末に配信する。ここで、ユーザが発信した発信先の電話番号や、ユーザに着信した着信元の電話番号に対応付けられた広告に関する情報（例えば、地域や業種）は、ユーザの潜在的要求に関連する可能性が高い。したがって、その電話番号に対応付けられた広告に関する情報にマッチングした広告を配信するので、Ｗｅｂページのコンテンツや入力された検索クエリを利用できない場合でも、ユーザの潜在的要求に合わせた広告を配信することができる可能性が高い。
【０００９】
（２）  （１）に記載の広告配信装置であって、前記広告に関する情報は、地域情報及び業種情報を含むことを特徴とする広告配信装置。
【００１０】
（２）の構成によれば、広告に関する情報は、地域情報及び業種情報を含む。このことにより、ユーザが発信した発信先の電話番号や、ユーザに着信した着信元の電話番号に対応付けられた広告に関する情報として、地域情報及び業種情報を含んだ情報にマッチングした広告を配信するので、Ｗｅｂページのコンテンツや入力された検索クエリを利用できない場合でも、ユーザの潜在的要求に合わせた広告を配信することができる可能性が高い。
【００１１】
（３）  （１）又は（２）に記載の広告配信装置であって、前記広告抽出部は、前記広告データベースに基づいて、前記通信端末から入力された前記ユーザ識別情報に対応した前記広告に関する情報と、前記通信端末から入力されたネットワークにアクセスするための検索クエリとにマッチングした広告を抽出することを特徴とする広告配信装置。
【００１２】
（３）の構成によれば、（１）又は（２）に記載の広告配信装置の広告抽出部は、広告データベースに基づいて、通信端末から入力されたユーザ識別情報に対応した広告に関する情報と、通信端末から入力されたネットワークにアクセスするための検索クエリとにマッチングした広告を抽出する。
【００１３】
このことにより、ユーザが発信した発信先の電話番号、又はユーザに着信した着信元の電話番号に対応付けられた広告に関する情報と、入力された検索クエリとにマッチングした広告を抽出し、通信端末に配信する。したがって、検索クエリを入力された場合には、電話番号に対応付けられた広告に関する情報にマッチングした広告の中で、さらに、検索クエリにマッチングした広告を抽出し配信するので、ユーザの潜在的要求に合わせた広告を配信することができる可能性が高い。
【００１４】
（４）  ネットワークに接続された通信端末に広告を配信する方法であって、ユーザ識別情報を有するユーザが発信した発信先の電話番号、又は前記ユーザに着信した着信元の電話番号を取得し、前記ユーザごとに通信履歴データを記録するステップと、電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶するステップと、前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出するステップと、前記抽出した広告を前記通信端末に配信するステップと、を含む方法。
【００１５】
（４）の構成によれば、本発明の方法は、広告を配信する方法において、ユーザ識別情報を有するユーザが発信した発信先の電話番号、又はユーザに着信した着信元の電話番号を取得し、ユーザごとに通信履歴データを記録する。その後、電話番号とその電話番号の持ち主に関する情報とを対応付けた電話番号データベースに基づいて、通信履歴データに記録された発信先の電話番号又は着信元の電話番号に対応付けられた広告に関する情報を取得し、取得した広告に関する情報とユーザとを対応付けたユーザ関連データを記憶する。さらに、ユーザ関連データに基づいて、通信端末から入力されたユーザ識別情報に対応した広告に関する情報を取得し、Ｗｅｂページ用の広告データを記憶する広告データベースから、取得した広告に関する情報にマッチングした広告を抽出する。
【００１６】
このことにより、本発明の方法は、ユーザが発信した発信先の電話番号、又はユーザに着信した着信元の電話番号に対応付けられた広告に関する情報にマッチングした広告を抽出し、通信端末に配信する。ここで、ユーザが発信した発信先の電話番号や、ユーザに着信した着信元の電話番号に対応付けられた広告に関する情報（例えば、地域や業種）は、ユーザの潜在的要求に関連する可能性が高い。したがって、その電話番号に対応付けられた広告に関する情報にマッチングした広告を配信するので、Ｗｅｂページのコンテンツや入力された検索クエリを利用できない場合でも、ユーザの潜在的要求に合わせた広告を配信することができる可能性が高い。
【００１７】
（５）  通信端末とネットワークを介して接続されたコンピュータ（広告配信装置）に広告を配信させるコンピュータ・プログラムであって、ユーザ識別情報を有するユーザが発信した発信先の電話番号、又は前記ユーザに着信した着信元の電話番号を取得し、前記ユーザごとに通信履歴データを記録するステップと、電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶するステップと、前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出するステップと、前記抽出した広告を前記通信端末に配信するステップと、をコンピュータ（広告配信装置）に実行させるコンピュータ・プログラム。
【００１８】
（５）の構成によれば、本発明のコンピュータ・プログラムは、ユーザ識別情報を有するユーザが発信した発信先の電話番号、又は前記ユーザに着信した着信元の電話番号を取得し、前記ユーザごとに通信履歴データを記録するステップと、電話番号とその電話番号の持ち主に関する情報とを対応付けた電話番号データベースに基づいて、前記通信履歴データに記録された前記発信先の電話番号又は前記着信元の電話番号に対応付けられた前記広告に関する情報を取得し、取得した前記広告に関する情報と前記ユーザとを対応付けたユーザ関連データを記憶するステップと、前記ユーザ関連データに基づいて、前記通信端末から入力された前記ユーザ識別情報に対応した前記広告に関する情報を取得し、Ｗｅｂページ用の広告データを記憶する広告データベースから、取得した前記広告に関する情報にマッチングした広告を抽出するステップと、前記抽出した広告を前記通信端末に配信するステップと、をコンピュータ（広告配信装置）に実行させることができる。
【００１９】
このことにより、本発明のコンピュータ・プログラムは、コンピュータ（広告配信装置）に、ユーザが発信した発信先の電話番号、又はユーザに着信した着信元の電話番号に対応付けられた広告に関する情報にマッチングした広告を抽出させ、通信端末に配信させる。ここで、ユーザが発信した発信先の電話番号や、ユーザに着信した着信元の電話番号に対応付けられた広告に関する情報（例えば、地域や業種）は、ユーザの潜在的要求に関連する可能性が高い。したがって、その電話番号に対応付けられた広告に関する情報にマッチングした広告を配信するので、Ｗｅｂページのコンテンツや入力された検索クエリを利用できない場合でも、コンピュータに、ユーザの潜在的要求に合わせた広告を配信させることができる可能性が高い。
【発明の効果】
【００２０】
本発明によれば、Ｗｅｂページのコンテンツや入力された検索クエリを利用できない場合でも、ユーザの潜在的要求に合わせた広告を配信することができる。
【発明を実施するための最良の形態】
【００２１】
本発明（広告配信装置）の一つの実施の形態として、電話番号連動広告装置１０を例に挙げて説明する。この電話番号連動広告装置１０は、通信履歴部１１と、関連情報記憶部１２と、広告抽出部１３と、配信部１４と、を備えている。以下、本発明の実施形態について、図に従って説明する。
【００２２】
図１は、本発明の動作環境を示す図である。電話番号連動広告装置１０、広告サーバ２０、電話番号サーバ３０、通信端末６０がネットワーク７０（インターネット、ＬＡＮ、ＷＡＮ等）を介して接続されていることを示している。
【００２３】
広告サーバ２０は、ネットワーク７０に接続された通信端末６０に配信する広告をデータベース化した広告データベース２１を有している。電話番号サーバ３０は、電話番号とその電話番号の持ち主に関する情報とをデータベース化した電話番号データベース３１を有している。通信端末６０は、配信された広告を表示する。
【００２４】
図２は、本発明のハードウェア構成の一例を示す図である。電話番号連動広告装置１０は、制御部１０１を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ＿Ａ１０１２等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ハードディスク１０７０、並びにキーボード及びマウス１１００等の入力手段や表示装置１０２２を備える。
【００２５】
ＢＩＯＳ１０６０は、電話番号連動広告装置１０の起動時にＣＰＵ１０１０が実行するブートプログラムや、ハードウェアに依存するプログラム等を格納する。
【００２６】
ハードディスク１０７０は、電話番号連動広告装置１０が広告配信装置として機能するための各種プログラム及び本発明の機能を実行するプログラムを記憶しており、さらに必要に応じて各種データベースを構成可能である。
【００２７】
表示装置１０２２は、データの入力を受け付ける画面を表示したり、電話番号連動広告装置１０による演算処理結果の画面を表示したりするものであり、ブラウン管表示装置（ＣＲＴ）、液晶表示装置（ＬＣＤ）等のディスプレイ装置を含む。
【００２８】
ここで、入力手段は、入力の受け付けを行うものであり、キーボード及びマウス１１００等により構成してよい。
【００２９】
また、通信Ｉ／Ｆ１０４０は、電話番号連動広告装置１０を専用ネットワーク又は公共ネットワークを介して端末と接続できるようにするためのネットワーク・アダプタである。
【００３０】
図３は、本発明の機能の構成と、構成部が処理するデータとの関連を示す図である。
【００３１】
電話番号連動広告装置１０の通信履歴部１１は、通信端末６０（例えば、携帯電話６０ｄ等）が電話を掛けた発信先の電話番号、又は当該通信端末６０に電話を掛けた発信元の電話番号を取得し、ユーザごとに記録した通信履歴データ１６（後述する図４参照）を作成する。
【００３２】
通信履歴データ１６は、ユーザごとに、発信元又は着信元の電話番号からなる。ユーザは、登録されユーザ識別情報を有している。電話番号の取得は、例えば、登録されたユーザの携帯電話のアドレス帳を読み込むことで可能になる。また、携帯電話の通話履歴データを読み込むことでも可能になる。通信履歴データ１６は、電話番号以外に、通信時刻や通信時間を含むこともできる。これらを用いて電話番号に優先度をつけることができる（後述するユーザ関連データ１７において詳述する）。
【００３３】
関連情報記憶部１２は、電話番号とその電話番号の持ち主に関する情報とを対応付けた電話番号データベース３１に基づいて、通信履歴データ１６に記録された電話番号に対応付けられた広告に関する情報（例えば、地域、業種等）を取得し、ユーザ関連データ１７を作成する（後述する図５参照）。
【００３４】
ユーザ関連データ１７は、少なくとも、ユーザ識別情報と、電話番号に対応付けられた広告に関する情報とを含む。広告に関する情報は、例えば、電話帳から得られる県名や市町村名等の地域情報があり、職業別電話帳から得られる業種情報等もある。これらの情報は、電話番号を基に、電話番号データベース３１から得ることができる。
【００３５】
ユーザ関連データ１７には、電話番号（広告に関する情報）の優先順位を設けることができる。例えば、通信履歴データ１６が有する通信時間を集計することにより、集計した通信時間が長い電話番号ごとに優先順位を付ける。また、当該月と同じ月の通信時間を集計し、集計した通信時間が長い電話番号ごとに優先順位を付ける。さらに、最近（例えば、過去１ヶ月）の集計した通信時間が長い電話番号ごとに優先順位を付ける。
【００３６】
広告抽出部１３は、ユーザ関連データ１７に基づいて、入力されたユーザ識別情報に対応した広告に関する情報を取得し、広告データベース２１に基づいて、取得した広告に関する情報にマッチングした広告を抽出する。例えば、ユーザ識別情報に対応した広告に関する情報として、地域情報が北海道、業種情報が農家だとすると、広告データベース２１から、北海道かつ農家にマッチングした広告として、例えば、北海道米、農家民宿等の広告を抽出する。
【００３７】
ユーザ識別情報だけでなく、検索クエリが入力された場合は、広告に関する情報及び検索クエリに適合した広告を抽出する。例えば、ユーザ識別情報に対応した広告に関する情報として、地域情報が北海道、業種情報が農家で、検索クエリが旅行だとすると、広告データベース２１から、北海道かつ農家であって旅行にマッチングした広告として、例えば、農家民宿、農家エコツアー等を抽出する。
【００３８】
配信部１４は、広告抽出部１３が抽出した広告をネットワーク７０を介して通信端末６０に配信する。配信された広告は、通信端末６０の画面１００に表示される（図８及び１０参照）。
【００３９】
図４は、本発明の通信履歴データ１６の構造を示す図である。通信履歴データ１６は、通信時刻、発信元、着信元、及び通信時間からなる。通信時刻は、ユーザが電話を掛けた時刻、又はユーザが電話を受けた時刻を格納する。発信先は、ユーザが電話を掛けた場合に電話の発信先の電話番号を格納する。着信元は、ユーザが電話を受けた場合に電話を掛けた元の電話番号を格納する。通信時間は、通話した時間を格納する。ユーザごとに、通信履歴データ１６がある。
【００４０】
図５は、本発明のユーザ関連データ１７の構造を示す図である。ユーザ関連データ１７はユーザ識別情報、電話番号、地域情報、業種情報、及び優先順位からなる。ユーザ識別情報は、ユーザのユーザ識別情報を格納する。電話番号は、ユーザ識別情報に対応付けられ、通信履歴データ１６に記録されている電話番号を格納する。地域情報は、電話番号に対応付けられた広告に関する情報のうち地域に関する情報を格納する。業種情報は、電話番号に対応付けられた広告に関する情報のうち業種に関する情報を格納する。優先順位は、通信履歴データ１６の通信時間を電話番号ごとに合計することにより作成される。例えば、通信時間の合計値が多い順に電話番号（広告に関する情報）の優先順位が高いとする（優先順位Ａ）。このほかに、通信時刻を参照し、現在の月と同じ月で電話番号ごとに通信時間を合計し、合計値が多い順に電話番号（広告に関する情報）の優先順位が高いとする（優先順位Ｂ）。また、通信時刻を参照し、最近の通信時間（例えば、過去１ヶ月）を電話番号ごとに合計し、合計値が多い順に電話番号（広告に関する情報）の優先順位が高いとする（優先順位Ｃ）。
【００４１】
図６は、本発明の処理内容を示すフローチャートである。
【００４２】
まず、ステップＳ１０１において、ＣＰＵ１０１０は、ユーザ識別情報と、発信元電話番号及び着信元電話番号とを取得する。具体的には、ユーザ識別情報は、別途登録されている登録情報に基づき、携帯電話の電話番号に対応して得られる。発信元電話番号及び着信元電話番号は、携帯電話から携帯電話が有する発信履歴データ及び着信履歴データを読み込むことにより得られる。読込は、定期的に行われる（例えば、１週間ごと）。
【００４３】
次に、ステップＳ１０２において、ＣＰＵ１０１０は、通信履歴データ１６を作成する。具体的には、ユーザ識別情報に該当する、ユーザごとの通信履歴データ１６に、読み込んだ発信元電話番号及び着信元電話番号、通信時刻、通信時間を格納する。
【００４４】
次に、ステップＳ１０３において、ＣＰＵ１０１０は、電話番号から広告に関する情報を取得する。具体的には、格納した通信履歴データ１６と、ユーザ関連データ１７とを比較し、該当するユーザ識別情報にない電話番号を取得し、取得した電話番号で、電話番号データベース３１を検索し、電話番号に対応付けられた地域情報及び業種情報を取得する。なお、電話番号データベース３１を検索し、地域情報及び業種情報を取得できなかった場合は、デフォルトの広告又は従来手法の広告とする。
【００４５】
次に、ステップＳ１０４において、ＣＰＵ１０１０は、ユーザ関連データ１７を作成する。具体的には、取得した地域情報及び業種情報をユーザ関連データ１７の該当するユーザの該当箇所に格納する。また、通信時間を集計し、優先順位を作成する。電話番号ごとの通信時間の集計値を基に優先順位Ａを作成する。また、電話番号ごとに当該月と過去の同じ月の通信時間の集計を行い、優先順位Ｂを作成する。さらに、電話番号ごとに最近１ヶ月の通信時間の集計を行い、優先順位Ｃを作成する。
【００４６】
次に、ステップＳ１０５において、ＣＰＵ１０１０は、ユーザ識別情報を取得する。具体的には、通信端末６０から入力されたユーザ識別情報を受信する。ユーザ関連データ１７に基づき、ユーザ識別情報に対応した地域情報及び業種情報を選択する。選択は、配信すべき広告の数、優先順位等により行われる。例えば、配信すべき広告の数が４つの場合、優先順位Ａの１位の地域情報及び業種情報、同様に優先順位Ｂの１位、優先順位Ｃの１位、優先順位Ａの２位の順に選択する。
【００４７】
次に、ステップＳ１０６において、ＣＰＵ１０１０は、ユーザに関連する広告を抽出する。具体的には、ステップＳ１０５で選択した地域情報及び業種情報に基づいて、広告データベース２１を検索し、関連する広告を抽出する。
【００４８】
次に、ステップＳ１０７において、ＣＰＵ１０１０は、抽出した広告を配信する。具体的には、ステップＳ１０６において抽出した広告を通信端末６０にネットワークを介して配信する。配信された広告は、通信端末６０の画面１００に表示される（図８、及び１０参照）。
【００４９】
図７は、通信端末６０がネットワークに接続され、ホームページが表示されている通信端末６０の画面１００を示す図である。この図が示す画面１００に表示されている画像は、ホームページに、検索キー入力用の入力欄１１０、ホームページの広告枠２００に、広告として歓送迎会２１０、歓送迎会２１０へのクリック用ボタン２１１、トピックス２１２、今日の天気２４０が表示されていることを表している。広告枠２００には、ユーザが登録されていない場合、又はユーザに関連する電話番号に対応付けられた広告に関する情報がない場合等の、従来の広告配信方法に基づく広告の表示がされている。
【００５０】
図８は、通信端末６０がネットワークに接続され、ホームページにユーザに関連した広告が表示されている通信端末６０の画面１００を示す図である。この図が示す画面１００に表示されている画像は、広告枠２００に、広告「北海道  大自然コース」２２０、「北海道  大自然コース」２２０へのクリック用ボタン２２１、広告「りんご  初出荷」２３０、「りんご  初出荷」２３０へのクリック用ボタン２３１、今日の天気２４０が表示されていることを表している。広告枠２００には、登録されているユーザに関連する電話番号に対応付けられた地域情報及び業種情報に基づいて抽出した広告として、「北海道  大自然コース」２２０、「りんご  初出荷」２３０が表示されている。
【００５１】
図９は、通信端末６０がネットワークに接続され、ホームページに検索キーを入力している通信端末６０の画面１００を示す図である。この図が示す画面１００に表示されている画像は、ホームページの検索キー入力用の入力欄１１０に検索キーとして「花見  ５月連休」が入力されていることを表している。
【００５２】
図１０は、通信端末６０がネットワークに接続され、ホームページに検索キーが入力された結果、ユーザに関連した広告が表示されている通信端末６０の画面１００を示す図である。この図が示す画面１００に表示されている画像は、ホームページに検索キー入力用の入力欄１１０に検索キーとして「花見  ５月連休」が入力され、検索の結果を表示欄１２０に表示していることを表している。さらに、広告枠２００に、広告「函館  花見ツアー  ｘｘｘ交通」３２０、その広告へのクリック用ボタン３２１、広告「信州  花見・温泉ツアー  ｘｘｘ旅行会社」３３０、その広告へのクリック用ボタン３３１、広告「紀州  介護付き温泉」３４０、その広告へのクリック用ボタン３４１、が表示されていることを表している。広告枠２００には、登録されているユーザに関連する電話番号に対応付けられた地域情報及び業種情報と、検索キー「花見  ５月連休」に基づいて抽出された広告として、広告「函館  花見ツアー  ｘｘｘ交通」３２０と、広告「信州  花見・温泉ツアー  ｘｘｘ旅行会社」３３０と、広告「紀州  介護付き温泉」３４０とが表示されている。
【００５３】
本実施例によれば、電話番号連動広告装置１０は、ユーザ識別情報を有するユーザが発信した発信先の電話番号、又はユーザに着信した着信元の電話番号を取得し、ユーザごとに通信履歴データ１６を記録する通信履歴部１１と、電話番号とその電話番号の持ち主に関する情報とを対応付けた電話番号データベース３１に基づいて、通信履歴データ１６に記録された発信先の電話番号又は着信元の電話番号に対応付けられた広告に関する情報を取得し、取得した広告に関する情報とユーザとを対応付けたユーザ関連データ１７を記憶する関連情報記憶部１２と、ユーザ関連データ１７に基づいて、通信端末６０から入力されたユーザ識別情報に対応した広告に関する情報を取得し、Ｗｅｂページ用の広告データを記憶する広告データベース２１から、取得した広告に関する情報にマッチングした広告を抽出する広告抽出部１３と、広告抽出部１３が抽出した広告を通信端末６０に配信する配信部１４と、を備えている。
【００５４】
このことにより、電話番号連動広告装置１０は、ユーザが発信した発信先の電話番号、又はユーザに着信した着信元の電話番号に対応付けられた地域情報及び業種情報にマッチングした広告を抽出し、通信端末６０に配信する。ここで、ユーザが発信した発信先の電話番号や、ユーザに着信した着信元の電話番号に対応付けられた地域情報及び業種情報は、ユーザの潜在的要求に関連する可能性が高い。したがって、その電話番号に対応付けられた地域情報及び業種情報にマッチングした広告を配信するので、Ｗｅｂページのコンテンツや入力された検索クエリを利用できない場合でも、ユーザの潜在的要求に合わせた広告を配信することができる可能性が高い。
【００５５】
なお、本発明の実施形態では、ユーザ関連データ１７に基づき、ユーザ識別情報に対応した地域情報及び業種情報を選択する場合に、例えば、優先順位Ｃ（最近の通信時間の集計による順位）を優先し、次に、優先順位Ｂ（当該月と過去の同じ月の通信時間の集計による順位）の順に選択することもできる。このことにより、ユーザが最近、関心を持つようになった事柄や、季節に関する広告を配信することができる可能性があり、ユーザの潜在的要求に合わせた広告を配信することができる可能性が高い。
【００５６】
さらに、本発明の実施形態では、ユーザ関連データ１７に基づき、ユーザ識別情報に対応した地域情報及び業種情報を選択する場合に、例えば、電話番号（広告に関する情報）の優先順位として、重複する職種や地域は、優先度が高いとすることができる。また、定期的に内容を更新（例えば、月に１回）することにより、当該月の集計による優先順位を最新とすることができる。このことにより、ユーザの関心に合った優先順位を保つことができる可能性があり、ユーザの潜在的要求に合わせた広告を配信することができる可能性が高い。なお、優先度に関しては、本実施例で記載した以外にもクリックされやすさや、広告の単価等もプラスして考慮し、広告を出す方法等があり、本実施例で述べた優先付けには限定されない。
【００５７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００５８】
【図１】本発明の動作環境を示す図である。
【図２】本発明のハードウェア構成の一例を示す図である。
【図３】本発明の機能の構成と、構成部が処理するデータとの関連を示す図である。
【図４】本発明の通信履歴データの構造を示す図である。
【図５】本発明のユーザ関連データの構造を示す図である。
【図６】本発明の処理内容を示すフローチャートである。
【図７】通信端末がネットワークに接続され、ホームページが表示されている通信端末の画面を示す図である。
【図８】通信端末がネットワークに接続され、ホームページにユーザに関連した広告が表示されている通信端末の画面を示す図である。
【図９】通信端末がネットワークに接続され、ホームページに検索キーを入力している通信端末の画面を示す図である。
【図１０】通信端末がネットワークに接続され、ホームページに検索キーが入力された結果、ユーザに関連した広告が表示されている通信端末の画面を示す図である。
【符号の説明】
【００５９】
１０      電話番号連動広告装置
１１      通信履歴部
１２      関連情報記憶部
１３      広告抽出部
１４      配信部
１６      通信履歴データ
１７      ユーザ関連データ
１０１０  ＣＰＵ
１０１２  ＣＰＵ＿Ａ
１０２２  表示装置
１０４０  通信Ｉ／Ｆ
１０５０  メインメモリ
１０６０  ＢＩＯＳ
１０７０  ハードディスク
１１００  キーボード及びマウス
【図１】
2008292598.tif 000003
【図２】
2008292598.tif 000004
【図３】
2008292598.tif 000005
【図４】
2008292598.tif 000006
【図５】
2008292598.tif 000007
【図６】
2008292598.tif 000008
【図７】
2008292598.tif 000009
【図８】
2008292598.tif 000010
【図９】
2008292598.tif 000011
【図１０】
2008292598.tif 000012